(57)【要約】      （修正有）【課題】ＣＯ２や公害物質を一切排出しない発電機を作り出す。【解決手段】電気で電気を作り出す手段として、最初に蓄電池１の電気で電気モーター３を回転させる。この電気モーター３の回転で発電機モーター４を回転させて電気を作り出す。この電気を蓄電池１に送電し充電する。この充電した蓄電池１の電気を元にして、次から次へと段階を重ねて電気を大きく更に大きくしていく。【選択図】図１
2012157232.tif 000002
【特許請求の範囲】
【請求項１】
図１に示す蓄電池（１）により、電気モーター（３）を回転させる。この電気モーターの回転を、発電機モーター（４）に伝動して、発電機モーターを回転させて電気を作り出す。
この電気を蓄電池に送電し充電をする。この充電をした蓄電池の電気を次なるブロックの電気モーターに送電をする。ここで１段階とします。
蓄電池（１）と電気モーター（３）との間に、充電量を加減するためのスイッチ（２）を設ける。
【請求項２】
１ブロックより送電した電気により、図２に示す電気モーター（３）を回転させる。この電気モーターの回転を発電機モーター（４）に伝動して、発電機モーターを回転させて電気を作り出す。この電気を次なるブロックの電気モーターに送電をする。ここで２段階とします。
２ブロックより送電した電気により、図３に示す電気モーター（３）を回転させる。この電気モーターの回転を発電機モーター（４）に伝動して、発電機モーターを回転させて電気を作り出す。この電気を次なるブロックの電気モーターに送電をする。ここで３段階とします。
段階を繰り返して、電気を大きく更に大きくしていく方法です。
【発明の詳細な説明】
【技術分野】
【０００１】最初に蓄電池の電気を元にして、電気モーターを回転させる。この電気モーターの回転で、発電機モーターを回転させて電気を作り出す。この電気を蓄電池に送電し充電をする。この充電をした蓄電池の電気を、次なるブロックの電気モーターに送電する。
この電気モーターから電気を次々と大きく、また更に大きくしていく方法です。
【背景技術】
【０００２】従来電気を作り出すための最初のエネルギーとして、水力発電機ならば水。又は、火力発電機ならば蒸気です。
水力ならば水量の課題。火力ならば蒸気を作り出すために出るＣＯ２の課題などがあります。
【先行技術分献】
【０００３】最近ではＣＯ２や公害物質を排出させないために、太陽光発電機や風力発電機などがあります。
太陽光ならば日照時間の課題。風力ならば風力の課題などがあります。
【発明の概要】
【課題を解決するための手段】
【０００４】ＣＯ２や公害物質などを一切排出しないで、電気を作り出すための発電機を作り出す手段です。
上記を解決するには、本案は電気で電気を作り出す方法です。
これには電気を作り出すための最初のエネルギーを、蓄電池の電気とします。この電気を元にして、次から次へと電気を大きくしていき、目的とする大きさの電気を作り出す手段です。
方法として蓄電池の電気を、電気モーターに送電して電気モーターを回転させる。この電気モーターの回転で、発電機モーターを回転させて電気を作り出す。この電気を蓄電池に送電し充電をする。この充電をした蓄電池の電気を、次なるブロックの電気モーターに送電する。
ここで１段階とします。
蓄電池の電気量を一定以内に保つために、蓄電池と電気モーターとの間に、充電量を加減するためのスイッチを設ける。これにより電気モーターを回転させたり止めたりするものです。
１段階から送電した電気で、電気モーターを回転させる。この電気モーターの回転で、発電機モーターを回転させて電気を作り出す。この電気を次なるブロックの電気モーターに送電する。
ここで２段階とします。
２段階から送電した電気で、電気モーターを回転させる。この電気モーターの回転で、発電機モーターを回転させて電気を作り出す。この電気を次なるブロックの電気モーターに送電する。
ここで３段階とします。
上記の様に、次から次へと段階を重ねて、必要とする電気（Ｖ）の大きさを得る方法です。
【発明の効果】
【０００５】電気を作り出すための最初のエネルギーとして、蓄電池の電気を使用する。その事により、作り出した電気を段階的に次から次へと更に大きくできます。そして、それにより、目的とする電気を得る事ができます。
電気で電気を作り出す発電機によりＣＯ２を排出しない。更に、公害となる物質も排出しない。設置場所も小さくてすみます。これにより使い道も多様化できます。
【発明を実施するための形態】
【０００６】図１に示す形態を１ブロックとします。蓄電池（１）の電気で電気モーター（３）を回転させる。この電気モーターの回転を回転伝動ベルト（６）により伝動して、発電機モーター（４）を回転させて電気を作り出す。この電気を蓄電池に送電し充電をする。この充電をした蓄電池の電気を次なるブロックの電気モーターに送電する。ここで１段階とします。
図２示す形態を２ブロックとします。１ブロックより送電した蓄電池の電気で、電気モーター（３）を回転させる。この電気モーターの回転を回転伝動ベルト（６）により伝動して、発電機モーター（４）を回転させて電気を作り出す。この電気を次なるブロックの電気モーターに送電する。ここで２段階とします。
図３に示す形態を３ブロックとします。２ブロックより送電した電気により電気モーター（３）を回転させる。この電気モーターの回転を回転伝動ベルト（６）により伝動して、発電機モーター（４）を回転させて電気を作り出す。この電気を次なるブロックの電気モーターに送電する。ここで３段階とします。
図１に示す蓄電池（１）と電気モーター（３）との間に充電量を加減するためのスイッチ（２）を設ける。
図２と図３に示す（５）は集電盤です。
【図面の簡単な説明】
【０００７】
【図１】蓄電池（１）と電気モーター（３）と発電機モーター（４）とを組合せた、１ブロックの立体形です。
【図２】電気モーター（３）と発電機モーター（４）と集電盤（５）とを組合せた、２ブロックの立体形です。
【図３】電気モーター（３）と発電機モーター（４）と集電盤（５）とを組合せた、３ブロックの立体形です。配線（７）に示す矢印は、電気の流れを示したものです。図２と図３に示す（５）は集電盤です。
【符号の説明】
【０００８】    （１）蓄電池              （２）発電量加減スイッチ
（３）電気モーター        （４）発電機モーター
（５）集電盤              （６）回転伝動ベルト
（７）配線と電流を矢印で示した図です
2012157232.tif 000003
【手続補正書】
【提出日】平成23年3月9日(2011.3.9)
【手続補正１】
【補正対象書類名】図面
【補正対象項目名】全図
【補正方法】変更
【補正の内容】
【図１】
2012157232.tif 000004
【図２】
2012157232.tif 000005
【図３】
2012157232.tif 000006
【手続補正２】
【補正対象書類名】明細書
【補正対象項目名】０００７
【補正方法】変更
【補正の内容】
【０００７】図１は、蓄電池（１）と電気モーター（３）と発電機モーター（４）とを組合せた、１ブロックの立体図です。
図２は、電気モーター（３）と発電機モーター（４）とを組合せた、２ブロックの立体図です。
図３は、電気モーター（３）と発電機モーター（４）とを組合せた、３ブロックの立体図です。
図に示す（８）は配線を接続するためのコンセントです。
図１の１ブロックの電気をコンセント（８−１）と、図２の２ブロックのコンセント（８−１）とに接続し、２ブロックへ送電します。
図２の２ブロックの電気をコンセント（８−２）と３の３ブロックのコンセント（８−２）とに接続し、３ブロックへ送電します。
配線（７）に示す矢印は、電気の流れを示したものです。
図２と図３に示す（５）は集電盤です。
【手続補正３】
【補正対象書類名】明細書
【補正対象項目名】０００８
【補正方法】変更
【補正の内容】
【０００８】（１）蓄電池              （２）発電量加減スイッチ
（３）電気モーター        （４）発電機モーター
（５）集電盤              （６）回転伝動ベルト
（７）配線と電流を矢印で示した図です
（８）配線接続コンセント
【手続補正書】
【提出日】平成23年9月16日(2011.9.16)
【手続補正１】
【補正対象書類名】明細書
【補正対象項目名】全文
【補正方法】変更
【補正の内容】
【発明の詳細な説明】
【技術分野】
【０００１】最初に蓄電池の電気、発電機の電気、又は、通常の電気のいずれかの電気を元にします。この電気で電気モーターを回転させる。この回転を発電機モーターに伝動させて、発電機モーターを回転させて、電気を作り出す。この作り出した電気を、再び蓄電池に送電し充電をする。又は、この作り出した電気を再び最初の電気モーターに逆送電して、電気モーターを自立回転と持続回転をさせる。
この様にして、作り出した電気を段階を重ねて次々と大きく、更に大きい電気にしていく発電機に関する分野です。
【背景技術】
【０００２】従来電気を作り出すための、発電機としては、火力発電機、水力発電機、太陽光電機、風力発電機、又は、エンジン回転で発電機モーターを回転させるエンジン付き発電機などがあります。
【先行技術文献】
【発明の概要】
【発明が解決しようとする課題】
【０００４】火力発電ならば、ＣＯ２と公害物質の排出。水力発電ならば水量と自然環境の破壊。
太陽光発電ならば日照時間とパネル設置場所が広範になる。又は、蓄電量の問題。
風力発電ならば風力量と接地場所が広範になる。又は、蓄電量の問題などの課題があります。
又は、エンジン付発電機ならばＣＯ２排出と騒音の課題があります。
【課題を解決するための手段】
【０００５】最初のエネルギーとして利用する電気は蓄電池、発電機、通常の電気のいずれかの電気を利用します。
この電気で最初に電気モーターを回転させる。この回転で発電機モーターを回転させて電気を作り出します。この電気を次なるブロックの電気モーターに送電し、発電機モーターを回転させて電気を作り出します。さらに、この電気を次なるブロックの電気モーターに送電し、発電機モーターを回転させ電気を作り出します。そしてさらに、この電気を次なるブロックの電気モーターに送電し、電気を作り出します。
この様にブロックからブロックへと段階を繰り返して、電気を大きく更に大きくしていき、目的とする電力を得る手段です。
最初に蓄電池の電気を利用すると、各ブロックの発電機モーターのいずれかの電気を蓄電池に送電し充電をする。この充電をした電気で、電気モーターを回転させて、次から次へと段階を繰り返して、電気を更に大きくしていく手段です。
各ブロックの発電機モーターのいずれかの電気を最初となるブロックの電気モーターに迂回路配線として逆送電させる。これにより、電気モーターを自立回転と持続回転させます。この事により、電気を持続して作り出す手段です。
【発明の効果】
【０００６】電源がなくても蓄電池の電気で、電気モーターを回転させ電気が作れる。
逆送電による再生電気で電気モーターを自立回転と持続回転させる事により、持続可能な電気を作り出します。
設置場所も小さくてすみます。又は、移動も簡単にできます。
自然環境にも影響を与えない。すべてが電気であることにより、ＣＯ２や公害物質などは一切排出されない。騒音もでない。
【図面の簡単な説明】
【０００７】図１は、蓄電池（１）と電気モーター（３）と発電機モーター（４）とを組合せた、１ブロックの立体図です。
図２は、電気モーター（３）と発電機モーター（４）とを組合せた、２ブロックの立体図です。
図３は、電気モーター（３）と発電機モーター（４）とを組合せた、３ブロックの立体図です。
図に示す（８）は配線を接続するためのコンセントです。
図１の１ブロックの電気をコンセント（８−１）と、図２の２ブロックのコンセント（８−１）とに接続し、２ブロックへ送電します。
図２の２ブロックの電気をコンセント（８−２）と図３の３ブロックのコンセント（８−２）とに接続し、３ブロックへ送電します。
配線（７）に示す矢印は、電気の流れを示したものです。
図２と図３に示す（５）は集電盤です。
【符号の説明】
【０００８】（１）蓄電池              （２）発電量加減スイッチ
（３）電気モーター        （４）発電機モーター
（５）集電盤              （６）回転伝動ベルト
（７）配線と電流を矢印で示した図です
（８）配線接続コンセント
【発明を実施するための形態】
【０００９】図１に示す形態を１ブロックとします。蓄電池（１）の電気で電気モーター（３）を回転させる。この電気モーターの回転を回転伝動ベルト（６）により伝動して、発電機モーター（４）を回転させて電気を作り出す。この電気を蓄電池に送電し充電をする。この充電をした蓄電池の電気を次なるブロックの電気モーターに送電する。ここで１段階とします。
図２示す形態を２ブロックとします。１ブロックより送電した蓄電池の電気で、電気モーター（３）を回転させる。この電気モーターの回転を回転伝動ベルト（６）により伝動して、発電機モーター（４）を回転させて電気を作り出す。この電気を次なるブロックの電気モーターに送電する。ここで２段階とします。
図３に示す形態を３ブロックとします。２ブロックより送電した電気により電気モーター（３）を回転させる。この電気モーターの回転を回転伝動ベルト（６）により伝動して、発電機モーター（４）を回転させて電気を作り出す。この電気を次なるブロックの電気モーターに送電する。ここで３段階とします。
この様に最初に蓄電池（１）の電気を元にして、図１に示す１ブロックの最初の電気モーター（３）を回転させる。これにより次から次へと段階を重ねて、必要とする大きさの電気を作り出す方法です。
又は、ブロックとブロックとの電気を集電して、より大きい電力を作り出す。
又は、蓄電池電気のかわりに電源を利用する。この電気を元にして、図１に示す１ブロックの最初の電気モーター（３）を回転させる。これにより次から次へと段階を重ねて、必要とする大きさの電気を作り出す方法です。
図１に示す、１ブロックから３ブロックの発電機モーター（４）のいづれかの電気を、図１に示す１ブロックの最初の電気モーター（３）に迂回配線として、再生電気を送電する。
これにより電気モーター（３）を持続回転させます。この事により充電時間の遅れや、電気量不足などにならない様にする。
更には、電気の本質として自らが持つ目的とする持続可能な電気を作り出します。
蓄電池（１）の電気は、直流電気なので交流モーター（３）を回転させるには、直流電気を交流電気に変換し切り替える必要があります。
又は、充電をする場合には、交流発電機モーター（４）の交流電気を、直流電気に変換し切り替える必要があります。
このために本案は、図１、図２、図３に示す、必要とするいずれかの電気モーター（３）と、蓄電池（１）との間に電気変換機のインバーターを設ける。これにより、蓄電池の直流電気を交流電気に切り替えて、交流電気モーター（３）を回転させる。
図１、図２、図３に示す必要とする。発電機モーター（４）と蓄電池（１）との間に電気変換機のインバーターを設ける。これにより、交流発電機モーターの電気を直流電気に切り替えて、蓄電池に送電し充電をさせる。
各ブロックの電気モーター（３）と、発電機モーター（４）との間に変速装置を設ける。
電気モーターと発電機モーターとの回転数が合わない時に、変速装置により加減をさせる。
図１に示す蓄電池（１）と電気モーター（３）との間に、充電量を加減するためのスイッチ（２）を設ける。
図２と図３に示す（５）は集電盤です。
【産業上の利用可能性】
【００１０】電力を必要とする分野です。
住居、店舗、町工場、又は、電気で動く物の電源となります。
又は、電源のない所では、発電機ともなります。
又は、家電の電源ともなります。
【手続補正２】
【補正対象書類名】特許請求の範囲
【補正対象項目名】全文
【補正方法】変更
【補正の内容】
【特許請求の範囲】
【請求項１】
図１に示す蓄電池（１）により、電気モーター（３）を回転させる。この電気モーターの回転を、発電機モーター（４）に伝動して、発電機モーターを回転させて電気を作り出す。
この電気を蓄電池に送電し充電をする。この充電をした蓄電池の電気を次なるブロックの電気モーターに送電をする。ここで１段階とします。
蓄電池（１）と電気モーター（３）との間に、充電量を加減するためのスイッチ（２）を設ける。
【請求項２】
１ブロックより送電した電気により、図２に示す電気モーター（３）を回転させる。この電気モーターの回転を発電機モーター（４）に伝動して、発電機モーターを回転させて電気を作り出す。この電気を次なるブロックの電気モーターに送電をする。ここで２段階とします。
２ブロックより送電した電気により、図３に示す電気モーター（３）を回転させる。この電気モーターの回転を発電機モーター（４）に伝動して、発電機モーターを回転させて電気を作り出す。この電気を次なるブロックの電気モーターに送電をする。ここで３段階とします。
段階を繰り返して、電気を大きく更に大きくしていく方法です。
【請求項３】
最初に電源の電気を利用する。電源の電気をもとにして、図１に示す１ブロックの最初の電気モーター（３）を回転させる。これにより段階を繰り返して電気を大きく更に大きくしていく方法です。
又は、ブロックとブロックとの電気を集電して、より大きい電力を作り出す。
【請求項４】
図１に示す１ブロックから３ブロックの発電機モーター（４）のどれかの電気を迂回配線として、図１に示す１ブロックの最初の電気モーター（３）に送電する。
又は、最終ブロックの発電機モーター（４）の電気を、各ブロックのいずれかの電気モーター（３）に迂回配線として逆送電する。
【請求項５】
図１、図２、図３に示す必要とする。いずれかの電気モーター（３）と蓄電池（１）との間にインバーターを設ける。
【請求項６】
図１、図２、図３に示す必要とする。いずれかの発電機モーター（４）と蓄電池（１）との間にインバーターを設ける。
【請求項７】
各ブロックの電気モーター（３）と、発電機モーター（４）との間に変速装置を設ける。